(57)【要約】【課題】納豆を食する場合において、撹拌時の容器安定と容器破損およびたれ等の飛び散りによる周囲汚染を防止するための手段を提供する。【解決手段】その上面に平面部を中央に有底の凹部を有する収納体を設け、該平面部に対応する平面部を下部に有する枠状の押圧体を設け、以上の収納体と押圧体を組み合わせるとともに、収納体に対する押圧体の係止手段を設けたことを特徴とする。【選択図】図４
2011093606.tif 000002
【特許請求の範囲】
【請求項１】
その上面に平面部を中央に有底の凹部を有する収納体を設け、該平面部に対応する平面部を下部に有する枠状の押圧体を設け、以上の収納体と押圧体を組み合わせるとともに、収納体に対する押圧体の係止手段を設けたことを特徴とする納豆容器保持具。
【発明の詳細な説明】
【技術分野】
【０００１】  この発明は、市販の納豆入り容器の保持具に関する。
【背景技術】
【０００２】  従来より、納豆入り容器が多数市販されているが、この納豆容器を安定保持するための用具は見あたらない。
【発明の開示】
【発明が解決しようとする課題】
【０００３】  納豆は日本古来の食物として古くから食されてきた。
昔はワラにくるまれて販売されていたが、近年はプラスチック容器に入れて販売されることが多くなった。このプラスチック容器は発泡合成樹脂製で、上部の鍔部下方に有底の傾斜面を有する凹部を有して形成され、この凹部内に納豆が収納され、同材質平板状の蓋板が、その一端を容器端部に間欠切り込み部を介して一体化されたものである。
使用者はこの蓋板を切り取り、たれや芥子の入った小袋の一部を切り取って内容物を納豆にかけてから箸で納豆を糸のひくまで撹拌し、ご飯にかけて食する。この撹拌時は納豆容器を手に持って行うが、薄発泡合成樹脂製のために強く押さえると容器が変形する。
また、軟質材料のためにときには箸でこの容器に傷をつけたり突き破ることがある。
またこの容器は軽量のために容器保持位置の安定が得にくいという問題がある。
さらに、前述のたれや芥子は薄合成樹脂フィルム小袋内に収納されており、使用時はこのフィルム端に設けられた切断部をつまんでちぎり取り、切断により開口された部分を下にして小袋を押圧して内容物を落下させるのであるが、注意深く行う必要があり、不用意に押圧するとその内容物が飛び散って周囲を汚すことがあった。
本発明は、以上のような納豆を食する場合における課題を解決するために発明されたもので、納豆容器を押圧保持することにて、既述の課題に対処しうる新規かつ有用なる手段を提供することを目的として開発されたものである。
【課題を解決するための手段】
【０００４】  課題を解決する手段として本発明は以下の構成とした。
すなわち、その上面に平面部を中央に有底の凹部を有する収納体を設け、該平面部に対応する平面部を下部に有する枠状の押圧体を設け、以上の収納体と押圧体を組み合わせるとともに、収納体に対する押圧体の係止手段を設ける。本発明は以上の構成よりなる納豆容器保持具である。
【発明の効果】
【０００５】  本発明は以下の効果を有する。
１．収納体内に納豆入り容器を収納し、該容器を押圧体にて押圧保持する構成のため、納  豆を安定位置させて撹拌することができる。
２．納豆容器上方に所定厚の押圧体が位置するので、この押圧体内にてたれ等の小袋開封  を行うことにより、たれの飛び散りによる周囲汚染を防止することができる。
３．納豆容器形状に沿った凹部を有する収納体とすることにて、撹拌時の該容器破損を防  ぐことができる。
【発明を実施するための最良の形態】
【０００６】  以下、本発明の実施形態について説明する。
図において、１は収納体で、合成樹脂にて平面視四角形に形成された物体である。
その外周近傍上面は平面部を有し、中央部は段部を有して下降し、平板状の底部を有している。また、上記平面部に連続して垂直に下降する外周部を有し、この外周部下端は上記底部下縁よりやや下方に位置する。以上の段部と底部の間は斜面状に形成されて、納豆容器を挿入した場合に段部と斜面部および底部はこの納豆容器形状外面に沿って位置し、納豆容器の平面状鍔部下面は収納体上部の平面部分に当接する。
なお、図４にて示すように、その他の部分は空洞状に形成される。
２は押圧体で、収納体と同一材料にて形成される四角枠状物体である。
この押圧体は、図４にて示すようにその上部を開放して断面略Ｕ形の部材を四角枠状に形成し、この開放部を覆うように枠板３を固着して形成される。
４は市販の掛けがねで、舌片を有する受け部を押圧体外側中央に取り付け、レバーに対し回動可能なる線材を有する本体部を収納体外側中央の対応位置に取り付け、レバー操作にて線材を舌片に押圧係止し、また係止解除するものであって、この掛けがねは収納体及び押圧体外面に対向して２個所設けられる。なお、必要に応じて、蓋板５を設けて、押圧体上面を塞ぐことができる。この蓋板は押圧体上面と同一サイズの板体とし、その下面に各棒体を所定距離を持って平行に設けることで、押圧体に対し安定装着ができる。【０００７】  本発明の使用時は、収納体と押圧体を分離しておき、納豆容器の蓋を取り、納豆の入っている容器を収納体の凹部に入れる。しかる後押圧体を収納体に載せて掛けがねにて収納体に押圧体を押圧係止させる。たれや芥子の小袋を押圧体により囲まれる空間内に位置させ、小袋の一部を除去して開口させ、内容物を納豆に振りかける。
収納体を手に持ち、箸等にて納豆を撹拌した後、掛けがねの係止を解除して押圧体を収納体から外し、納豆容器の鍔部を持って収納体から納豆容器を持ち上げ、通常の納豆使用と同じく食する。図にて示すように、納豆容器形状に沿った凹部上に該容器が位置するので、撹拌時の該容器の損傷は防止され、また小袋から内容物を取り出すとき、この小袋は押圧体にて囲まれる空間内での作業となるので、万一飛び散っても押圧体にて外部への飛散が防止される。また、納豆容器の鍔部は押圧体の押圧にてしっかりと保持され、収納体と押圧体にて手に持つときはその剛性と重量にて、納豆容器が歪むことなく手になじんで安定した撹拌を行うことができる。
図５〜図６は本発明の他例を示すもので、図５は収納体と押圧体の一方の側面に蝶番を設け、他方に前述の掛けがねを設けたもので、食する時にこの掛けがね係止を解除することにて、蝶番を回動中心として押圧体を回動させて開き、納豆容器の着脱を可能とするよう構成したものである。
図６はバネ付き蝶番を押圧体と収納体の一側面に設けたもので、収納体に対し押圧体は常に閉方向つまり収納体に対して常に押圧して位置し、使用時は押圧体を手に持ってバネ力に逆らって持ち上げることにて開口部が現れるので、納豆容器セット後に押圧体を離すとバネ力にて双方の物体は押圧関係となって納豆容器を押圧保持することができる。【０００８】  以上、本発明について記したが、本発明は納豆容器を押圧保持するとともに、該容器上方に囲まれた空間を出現させて、たれ等の飛散による周囲汚染を防止し、撹拌時の容器損傷を防止するところにその特徴を有するものである。
従来はこのような手段がないために、上記のような問題が解決できなかったが、本発明にてこれが解消されるものとなったのである。
なお、図４の仮想線にて示すように、蓋板を設けてこの蓋板を押圧体上面に乗せることにて、不使用時のごみやほこりの侵入を防止して衛生的に保つことができる。
図では収納体外壁を厚く形成したので、重心位置が低くなって手に持ったときの安定性を向上させたものとしている。既述の例では、中空合成樹脂にて押圧体と収納体を形成したので、十分な剛性を有するとともに適度の重量となっている。
押圧体と収納体を掛けがねにて密着保持するものとしたが、嵌入その他の手段にて保持するものとしてもよい。既述の例は実施の一例であり、近似の他の構成としてもよい。
以上のごとく、本発明によって安心して納豆を食することのできる有用なる物品を得ることができる。
【図面の簡単な説明】
【０００９】
【図１】  本発明の平面図
【図２】  本発明の正面図
【図３】  本発明の右側面図
【図４】  本発明の内部構造説明図
【図５】  本発明の他例説明図
【図６】  本発明の他例説明図
【図７】  納豆容器の平面図
【図８】  納豆容器の正面図（一部破断）
【符号の説明】
【００１０】１  収納体
２  押圧体
３  枠板
４  掛けがね
５  蓋板
６  蝶番
７  バネ付き蝶番
８  納豆容器
９  納豆
【図１】
2011093606.tif 000003
【図２】
2011093606.tif 000004
【図３】
2011093606.tif 000005
【図４】
2011093606.tif 000006
【図５】
2011093606.tif 000007
【図６】
2011093606.tif 000008
【図７】
2011093606.tif 000009
【図８】
2011093606.tif 000010
【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
その上面に平面部を中央に有底の凹部を有する収納体を設け、該収納体は納豆容器を収容するためのものであり、該平面部に対応する平面部を下部に有する枠状の押圧体を設け、以上の収納体と押圧体を組み合わせるとともに、収納体に対する押圧体の係止手段を設けたことを特徴とする納豆容器保持具。